(57)【特許請求の範囲】
【請求項１】
ガスの質量流量及びガスの物性値を検知するセンサを用いたガス流量計であって、
上記センサで検知された検知信号に基づいて、ガスの質量流量を算出する流量算出手段と、
上記センサで検知された検知信号に基づいて、ガスの物性値を算出する流体物性値算出手段と、
上記流体物性値算出手段で算出された物性値に基づいて、ガスの種類を判別するガス種判別手段と、
計測すべきガスの標準温度、標準絶対圧力及び標準組成を規定して標準状態とし、上記流量算出手段で算出されたガスの質量流量を、上記流体物性値算出手段で算出された物性値に基づいて上記標準状態における標準体積流量に換算する流量換算手段と、
上記流量換算手段で換算された標準体積流量値と上記ガス種判別手段で判別されたガス種とに基づいて、課金料を算出する課金料算出手段とを備えたことを特徴とするガス流量計。
【請求項２】
上記課金料算出手段で算出された課金料を表示する表示手段を備えたことを特徴とする請求項１記載のガス流量計。
【請求項３】
前記流量換算手段は、計量すべきガスの標準組成を予め決定しておき、計量発熱量がその標準組成であったときのガス体積に変換することを特徴とする請求項１または２記載のガス流量計。
【請求項４】
前記センサは、計測すべきガスを加熱するヒータ、計測すべきガスの流れ方向に対して該ヒータから上流側及び下流側それぞれに該ヒータから一定距離離間して配置された第１及び第２の温度センサ、及び計測すべきガスの流れ方向に対して該ヒータから垂直な方向に該ヒータから一定距離離間して配置された第３の温度センサを有するフローセンサであることを特徴とする請求項１から３のいずれか１項に記載のガス流量計。
【発明の詳細な説明】
【０００１】
【発明の属する技術分野】
本発明は、ガス流量計に関するものである。
【０００２】
【従来の技術】
従来、半導体の薄膜成形技術を利用したマイクロマシニング技術を用いて、微小なダイアフラム上にヒータや温度センサを作製した熱式のフローセンサが提案されている。特に、特開２００１−１２９８８号公報等に開示されているフローセンサでは、１チップのセンサ上に流量センサとガス種やガス密度・組成の判別を行う判別センサとを備えており、流量を計測しながらガス判別を実施することができる。
【０００３】
一方、従来のガス流量計には、膜式メータ、フルイディックメータ等があり、また最近では、電子式メータとして超音波式メータが開発されつつある。これらのメータは、計測時の温度や絶対圧力によるガスの膨張収縮により変化するガスの体積を計測する体積計測型のガス流量計である。このため、ガスの計量をするときに発生する南北差や標高差による計量値の違いを、日本の場合、地域ごと、あるいは、季節ごと（夏と冬）に区分けされた課金料で補正する方法が採られている。
【０００４】
また、従来のガス計量では、同じ機種のガス流量計でガスの種類が異なる場合や、１つのガス流量計で同じガス種でも組成が変化した場合、それに対応する手段がなく、そのまま体積計量を行っている。
【０００５】
【発明が解決しようとする課題】
しかしながら、このような従来のガス流量計でガス計量を行う場合、区分けされた課金システムで補正するだけでは、日々及び昼夜の温度変化や大気圧の変動・近郊の標高差には十分に対応することができない。また、ガスの種類が異なる場合の計量は、予めガス種を把握しておいてから計量を行う以外に対応策がない。さらに、ガス組成が変動し、ガス密度が変動すると、計量誤差が大きくなってしまう。
【０００６】
そこで、本発明の目的は、ガスの物性値あるいはガスの種類に応じた正確な流量の算出、表示、課金料計算等を好適に行なうことができるガス流量計を提供することにある。
【０００９】
【課題を解決するための手段】
上記課題を解決するためになされた請求項１記載の発明は、ガスの質量流量及びガスの物性値を検知するセンサを用いたガス流量計であって、上記センサで検知された検知信号に基づいて、ガスの質量流量を算出する流量算出手段と、上記センサで検知された検知信号に基づいて、ガスの物性値を算出する流体物性値算出手段と、上記流体物性値算出手段で算出された物性値に基づいて、ガスの種類を判別するガス種判別手段と、計測すべきガスの標準温度、標準絶対圧力及び標準組成を規定して標準状態とし、上記流量算出手段で算出されたガスの質量流量を、上記流体物性値算出手段で算出された物性値に基づいて上記標準状態における標準体積流量に換算する流量換算手段と、上記流量換算手段で換算された標準体積流量値と上記ガス種判別手段で判別されたガス種とに基づいて、課金料を算出する課金料算出手段とを備えたことを特徴とするガス流量計に存する。
【００１０】
請求項１記載の発明においては、ガスの質量流量及びガスの物性値を検知するセンサを用いたガス流量計であって、センサで検知された検知信号に基づいて、ガスの質量流量を算出する流量算出手段と、センサで検知された検知信号に基づいて、ガスの物性値を算出する流体物性値算出手段と、流体物性値算出手段で算出された物性値に基づいて、ガスの種類を判別するガス種判別手段と、計測すべきガスの標準温度、標準絶対圧力及び標準組成を規定して標準状態とし、流量算出手段で算出されたガスの質量流量を、流体物性値算出手段で算出された物性値に基づいて標準状態における標準体積流量に換算する流量換算手段と、流量換算手段で換算された標準体積流量値とガス種判別手段で判別されたガス種とに基づいて、課金料を算出する課金料算出手段とを備えている。
【００１１】
ガス消費量を正しく計量する方法として、特開２０００−２５７８５９号に提案されているように、ガスの発熱量を計量することがもっともふさわしい。しかし、ガスの種類・組成が異なるとガスの単位体積当たりの熱量が異なる。何らかの方法で消費したガスの体積を標準温度と標準圧力に相当するガスの体積に変換しても、ガスの消費熱量を正しく計量していない。そこで、計量すべきガスの標準組成を決定しておき、計量発熱量がその標準組成のガスであった時のガス体積に変換することを付加することで、より正確なガス計量が可能になる。
【００１２】
それにより、温度や気圧の変動に影響されないガス計量をできるだけでなく、流量表示が体積表示であるため、従来のガス計量計と違和感なく計量できる。
【００１８】
それにより、予めガス種を把握していなくても、ガス流量計の設置場所の使用ガスを判別でき、ガス使用者や設置者がガス種を判別しなくても適正なガス料金を算出できる。
【００１９】
上記課題を解決するためになされた請求項２記載の発明は、前記課金料算出手段で算出された課金料を表示する表示手段を備えたことを特徴とする請求項１記載のガス流量計に存する。
【００２０】
請求項２記載の発明においては、課金料算出手段で算出された課金料を表示する表示手段を備えている。
【００２１】
それにより、適正なガス料金を、煩雑な手続を必要とせずにガス販売業者及びガス利用者に連絡することができる。
【００２２】
上記課題を解決するためになされた請求項３記載の発明は、前記流量換算手段は、計量すべきガスの標準組成を予め決定しておき、計量発熱量がその標準組成であったときのガス体積に変換することを特徴とする請求項１または２記載のガス流量計に存する。
【００２３】
請求項３記載の発明においては、流量換算手段は、計量すべきガスの標準組成を予め決定しておき、計量発熱量がその標準組成であったときのガス体積に変換する。
【００２４】
それにより、より正確なガス計量が可能になる。
【００６４】
上記課題を解決するためになされた請求項４記載の発明は、前記センサは、計測すべきガスを加熱するヒータ、計測すべきガスの流れ方向に対して該ヒータから上流側及び下流側それぞれに該ヒータから一定距離離間して配置された第１及び第２の温度センサ、及び計測すべきガスの流れ方向に対して該ヒータから垂直な方向に該ヒータから一定距離離間して配置された第３の温度センサを有するフローセンサであることを特徴とする請求項１から３のいずれか１項に記載のガス流量計に存する。
【００６５】
請求項４記載の発明においては、センサは、計測すべきガスを加熱するヒータ、計測すべきガスの流れ方向に対して該ヒータから上流側及び下流側それぞれに該ヒータから一定距離離間して配置された第１及び第２の温度センサ、及び計測すべきガスの流れ方向に対して該ヒータから垂直な方向に該ヒータから一定距離離間して配置された第３の温度センサを有するフローセンサである。
【００６６】
それにより、フローセンサを用いて、ガス流量計を容易に、安価にかつ小型に提供することができる。
【０１０３】
【発明の実施の形態】
以下、本発明に係るガス流量計の実施の形態について、図面に基づいて説明する。図１は、本発明によるガス流量計の実施の形態を示す構成ブロック図である。本発明のガス流量計１は、マイクロフローセンサ１４、減算部３３、加算部３５、Ａ／Ｄコンバータ３７及び３９、マイクロコンピュータ４０（以下、マイコンと略記する）、表示手段としての表示部５１、警報手段としての警報音発生部５２、遮断手段としての遮断弁５３及び通報手段としての通報部５４を備えている。
【０１０４】
ガス流量計１は、図２に示すようなＬＰガス供給設備に適用されるように構成されている。図２において、ガス流量計１は、ＬＰガス容器２に収容されている高圧のＬＰガスを圧力調整器３により供給圧力に減圧調整してガス風呂釜４やコンロ５などの燃焼器具に供給するガス供給路中の配管６に設置されており、燃焼器具において消費されるガスの使用量を計量する。なお、ガスコンロ５などに至る配管には、閉止弁７が設けられている。
【０１０５】
マイクロフローセンサ１４は、図３に示すようにガス流量計１内のガス流路１６の内壁に配設され、Ｓｉ基板１０２上にそれぞれ形成された、ヒータとしてのマイクロヒータ１０４と、マイクロヒータ１０４の下流側に配置された第２の温度センサとしての下流側サーモパイル１０５と、マイクロヒータ１０４の上流側に配置された第１の温度センサとしての上流側サーモパイル１０８と、マイクロヒータ１０４の両側にガス流路１６中のガスの流れ方向（Ｘ方向）と略直交方向にそれぞれ配置された第３の温度センサとしての右側および左側サーモパイル１１１，１１３とを備えている。
【０１０６】
そして、下文で詳述するように、下流側サーモパイル１０５および上流側サーモパイル１０８は、ガスの質量流量の検出に役立ち、右側サーモパイル１１１および左側サーモパイル１１３は、ガスの密度やガスの種類の検出に役立つものであり、マイクロフローセンサ１４は、ガスの質量流量、ガスの種類及びガスの密度を検知するセンサとして働く。
【０１０７】
図４および図５は、図３のマイクロフローセンサ１４の構成を示す平面図および断面図である。図４において、マイクロフローセンサ１４は、Ｓｉ基板１０２、ダイアフラム１０３、ダイアフラム１０３上に形成された白金等からなるマイクロヒータ１０４、マイクロヒータ１０４の下流側でダイアフラム１０３上に形成された下流側サーモパイル１０５、マイクロヒータ１０４に図示しない電源から駆動電流を供給する電源端子１０６Ａ，１０６Ｂ、マイクロヒータ１０４の上流側でダイアフラム１０３上に形成された上流側サーモパイル１０８、上流側サーモパイル１０８から出力される第１温度検出信号を出力する第１出力端子１０９Ａ，１０９Ｂ、下流側サーモパイル１０５から出力される第２温度検出信号を出力する第２出力端子１０７Ａ，１０７Ｂを備えている。
【０１０８】
また、マイクロフローセンサ１４は、マイクロヒータ１０４に対してガスの流れ方向（図３及び図４における矢印Ｘの方向）と略直交方向に配置され、ガスの物性値を検出し、右側温度検出信号（第３温度検出信号に対応）を出力する右側サーモパイル１１１と、この右側サーモパイル１１１から出力される右側温度検出信号を出力する第３出力端子１２Ａ，１２Ｂと、マイクロヒータ１０４に対してガスの流れ方向と略直交方向に配置され、ガスの物性値を検出し、左側温度検出信号（第３温度検出信号に対応）を出力する左側サーモパイル１１３と、この左側サーモパイル１１３から出力される左側温度検出信号を出力する第４出力端子１４Ａ，１４Ｂと、ガス温度を得るための抵抗１５，１６と、この抵抗１５，１６からのガス温度信号を出力する出力端子１７Ａ，１７Ｂとを備えている。
【０１０９】
上流側サーモパイル１０８、下流側サーモパイル１０５、右側サーモパイル１１１および左側サーモパイル１１３は、熱電対から構成されている。この熱電対は、ｐ++−ＳｉおよびＡｌにより構成され、冷接点と温接点とを有し、熱を検出し、冷接点と温接点との温度差から熱起電力が発生することにより、温度検出信号を出力するようになっている。
【０１１０】
また、図５に示すように、Ｓｉ基板１０２には、ダイアフラム１０３が形成されており、このダイアフラム１０３には、マイクロヒータ１０４、上流側サーモパイル１０８、下流側サーモパイル１０５、右側サーモパイル１１１および左側サーモパイル１１３のそれぞれの温接点が形成されている。
【０１１１】
このように構成されたマイクロフローセンサ１４によれば、マイクロヒータ１０４が、外部からの駆動電流により加熱を開始すると、マイクロヒータ１０４から発生した熱は、ガスを媒体として、下流側サーモパイル１０５と上流側サーモパイル１０８のそれぞれの温接点に伝達される。それぞれのサーモパイルの冷接点は、Ｓｉ基体（Ｓｉ基板）１０２上にあるので、基体温度になっており、それぞれの温接点は、ダイアフラム１０５上にあるので、伝達された熱により加熱され、Ｓｉ基体温度より温度が上昇する。そして、それぞれのサーモパイルは、温接点と冷接点の温度差より熱起電カを発生し、温度検出信号を出力する。
【０１１２】
ガスを媒体として伝達される熱は、ガスの熱拡散効果とＰからＱに向かって流れるガスの流速との相乗効果によって、それぞれのサーモパイルに伝達される。すなわち、流速がない場合には、熱拡散によって上流側サーモパイル１０８と下流側サーモパイル１０５に均等に伝達され、上流側サーモパイル１０８からの第１温度検出信号と下流側サーモパイル１０５からの第２温度検出信号の差信号は、零になる。
【０１１３】
一方、ガスに流速が発生すると、流速によって上流側サーモパイル１０８の温接点に伝達される熱量が多くなり、前記第２温度検出信号と前記第１温度検出信号との差信号は流速に応じた正値になる。
【０１１４】
これに対して、マイクロヒータ１０４が外部からの駆動電流により加熱を開始すると、マイクロヒータ１０４から発生した熱は、ガスの流速の影響を受けずにガスの熱拡散効果のみによって、マイクロヒータ１０４に対してガスの流れ方向と略直交方向に配置された右側サーモパイル１１１に伝達される。また、マイクロヒータ１０４に対してガスの流れ方向と略直交方向に配置された左側サーモパイル１１３にも、同様な熱が伝達される。このため、右側サーモパイル１１１の起電力により第３出力端子１１２Ａ，１１２Ｂから出力される右側温度検出信号、および／または左側サーモパイル１１３の起電力により第４出力端子１１４Ａ，１１４Ｂから出力される左側温度検出信号に基づき、熱伝導と熱拡散、比熱等によって決定される熱拡散定数、密度等のガスの物性値を算出することができるようになる。
【０１１５】
そこで図１に戻ると、減算部３３は差動アンプ等からなり、マイクロフローセンサ１４内の下流側サーモパイル１０５からの第２温度検出信号と、上流側サーモパイル１０８からの第１温度検出信号との差信号を増幅して出力し、加算部３５は、右側サーモパイル１１１からの右側温度検出信号と、左側サーモパイル１１３からの左側温度検出信号とを加算した加算信号を増幅して出力し、差信号および加算信号は、それぞれ、Ａ／Ｄコンバータ３７，３９でデジタル信号に変換されてマイコン４０に入力される。
【０１１６】
マイコン４０は、ＣＰＵ４０Ａと、記憶手段としてのＲＯＭ４０Ｂ及びＲＡＭ４０Ｃを有している。ＣＰＵ４０Ａは、Ａ／Ｄコンバータ３７からの差信号のデジタル値をＡ／Ｄコンバータ３９からの加算信号のデジタル値で除算する除算部４１と、除算部４１からの除算値に基づきガスの質量流量を算出する流量算出手段としての流量算出部４２と、Ａ／Ｄコンバータ３９からの加算信号のデジタル値と、流量算出部４２からの流量値とに基づきガスの熱伝導率や比熱、粘性、密度等の物性値を算出する流体物性値算出手段としての流体物性値算出部４３と、流体物性値算出部４３からの物性値に基づいてガス種を判別するガス種判別手段としてのガス種判別部４４と、流量算出部４２からの質量流量値を、流体物性値算出部４３からの物性値やガス種判別部４４からのガス種判別信号に基づいて標準体積流量に換算する流量換算手段としての流量換算部４５と、ガス種判別部４４からのガス種判別信号と流量流量換算部４５から標準体積流量とに基づいてガス使用料金を算出する課金料算出手段としての課金料算出部４６と、ガス種判別部４４で判別されたガス種の異常の有無を判定する判定手段としての判定部４７とを有している。
【０１１７】
ＲＯＭ４０Ｂには、ＣＰＵ４０Ａが各種処理動作、たとえば流量計測及びガス種判別処理、課金料算出処理、ガス種異常判定処理、ガス置換処理等、を行なうための制御プログラムと、各種処理動作時に使用されるデータテーブル、例えばガス物性値判別テーブル、ガス種判別テーブル及びガス種単価データテーブル等、とが格納されてている。また、ＲＡＭ４０Ｃには、各種処理動作に伴う各種データ記憶用のデータエリア及び各種処理作業に用いるワークエリアを有しており、データエリアには、各種処理動作時に読み出し/書き込みされる積算流量データ及び使用料金データ等が格納されている。
【０１１８】
次に、本発明のガス流量計で実行される各種処理動作について説明する。図６は、本発明のガス流量計で実行される流量計測及びガス種判別処理を示すフローチャートである。
【０１１９】
まず、外部からのパルス信号による駆動電流によりマイクロヒータ１０４を加熱すると（ステップＳ１１）、下流側サーモパイル１０５から第２温度検出信号が出力され、上流側サーモパイル１０８から第１温度検出信号が出力される（ステップＳ１３）。図７は、第１温度検出信号および第２温度検出信号のパルス信号に対する応答を示す。
【０１２０】
次に、減算部３３は、下流側サーモパイル１０５から出力された第２温度検出信号と上流側サーモパイル１０８から出力された第１温度検出信号との差信号を増幅する（ステップＳ１５）。
【０１２１】
そして、加算部３５は、右側サーモパイル１１から出力される右側温度検出信号と左側サーモパイル１３から出力される左側温度検出信号とを加算して増幅した加算信号を出力する（ステップＳ１７）。図９は、右側温度検出信号、左側温度検出信号および加算信号のタイミングチャートを示す。
【０１２２】
次に、除算部４１は、Ａ／Ｄコンバータ３７でＡ／Ｄ変換された減算部３３からの差信号のデジタル値をＡ／Ｄコンバータ３９でＡ／Ｄ変換された加算部３５からの加算信号のデジタル値で除算して除算信号を得る（ステップＳ１９）。
【０１２３】
続いて、流量算出部４２は、除算部４１からの除算信号に基づき、ガスの質量流量（ミリグラム／秒）を算出する（ステップＳ２１）。さらに、流体物性値算出部４３は、Ａ／Ｄコンバータ３９でＡ／Ｄ変換された加算部３５からの加算信号のデジタル値と、流量算出部４２からの質量流量とに基づき、ＲＯＭ４０Ｂに格納されているガス物性値判別テーブルを参照してガスの熱伝導率や比熱、粘性、密度等のガスの物性値を算出する（ステップＳ２３）。
【０１２４】
続いて、ガス種判別部４３は、流体物性値算出部４３からの物性値に基づいてＲＯＭ４０Ｂに格納されているガス種判別テーブルを参照してガスの種類を判別する（ステップＳ２５）。さらに、流量換算部４５は、流量算出部４２からの質量流量値を、流体物性値算出部４３からの物性値またはガス種判別部４４からのガス種判別信号に基づいて、標準温度、標準絶対圧力及び標準組成を規定した標準状態における標準体積流量に換算する（ステップＳ２７）。
【０１２５】
上述の流量計測及びガス種判別処理において、流量算出部４２で算出されたガスの質量流量は、以前に積算されていた積算質量流量に加算されて現在の積算質量流量として、また、流量換算部４５で換算された標準体積流量は、以前に積算されていた積算標準体積流量に加算されて現在の積算標準体積流量として表示部５１で切り替え表示または同時表示される。また、流体物性値算出部４３で算出された物性値、例えば計測したガスの密度と、ガス種判別部４４で判別されたガス種も、表示部５１で流量表示と同時表示または切り替え表示される。
【０１２６】
このように、マイクロフローセンサ１４を用いることで、質量流量や標準体積流量を計測できるガス流量計を実現できるだけでなく、ガスの種類あるいは密度を判別できるガス流量計を実現できる。ここでは、マイクロフローセンサ１４を用いたガス流量計に限って説明しているが、質量流量を計測し、ガスの種類或いは密度を判別できるものであれば、どのような構成でも良いことはもちろんである。
【０１２７】
次に、上述の処理において、質量流量を標準体積流量に換算する方法の一例を、天然ガス１３Ａの場合で説明する。なお、標準状態として、例えば、標準温度を１５゜Ｃ、標準絶対圧力を１０２３ヘクトパスカル（ｈＰａ）と規定する。この標準温度及び標準絶対圧力状態での天然ガス１３Ａの標準組成での密度は０．７８４グラム／リットル（ｇ／ｌ）であることを確認した。例えば、マイクロフローセンサ１４で計量したガスの質量流量が１０．０ミリグラム／秒（ｍｇ／ｓｅｃ）であった場合、１０．０（ｍｇ／ｓｅｃ）／０．７８４（ｍｇ／ｍｌ）＝１２．８（ｍｌ／ｓｅｃ）となり、換算された標準体積流量は、１２．８ミリリットル／秒（ｍｌ／ｓｅｃ）となる。また、マイクロフローセンサ１４で計量した積算質量流量が、例えば１０．０グラム（ｇ）であった場合、同様な換算方法により、対応する標準体積積算流量は１２．８リットル（ｌ）になる。
【０１２８】
上述の質量流量を標準体積流量に換算する方法の一例では、標準組成の密度と標準絶対圧力・標準温度とにより、標準状態変換している。これは、天然ガス成分の範囲では、ガス密度とガスの単位体積当たり発熱量がほぼ比例関係にあることから、このような簡易的な方法でも、十分標準状態変換が可能であるという見識が得られていることによる。すなわち、組成変化がガス密度とガスの単位体積当たり発熱量の比例関係からずれる場合には、それに相当する補正が必要になる。例えば、ガスの組成が１０％ずれたとき、上述の比例関係が２％ずれるという物理法則があったときは、１０％の組成ずれで２％標準密度を補正すると良い。
【０１２９】
なお、上述した内容は、先に質量流量を求め、後で標準体積流量を求めたが、センサ出力から直接、標準体積流量を求めることも可能である。例えば、マイクロフローセンサ１４の出力（すなわち、除算部４１からの除算値が２００で質量流量１０ｍｇ／ｓｅｃであったとすると、標準体積流量としてマイクロフローセンサ１４の出力が２００となったなら、流量算出部４２から直接１２．８ｍｌ／ｓｅｃを出力するようにすればよい。
【０１３０】
このようなガス流量計を利用することにより、温度や気圧による計測誤差を無くすことができ、異種ガスの計測を判断できるようになり、ガス置換を効率よく判断できるようになる。また、従来の体積表示に対し違和感のないガス流量計を提供できる。さらに、容易に、安価に、小型に、ガス流量計を提供することができる。
【０１３１】
次に、図９は、本発明のガス流量計で実行される課金料算出処理を示すフローチャートである。
【０１３２】
まず、ガスの質量流量とガスの種類を計測し（ステップＳ３１）、次いで、計測したガスの種類からその標準状態での密度で計測した質量流量を除算し、標準体積流量を算出する（ステップＳ３２）。このステップＳ３１〜Ｓ３２は、上述の流量計測及びガス種判別方法におけるステップＳ１１〜Ｓ２７と同一の処理である。
【０１３３】
次いで、ＲＡＭ４０Ｃに格納されている該当ガス種の標準体積流量の積算データを読み出す（ステップＳ３３）。図１０は、ＲＡＭ４０Ｃに格納されている標準体積流量の積算流量データの一例であり、このデータテーブルには、ガス種（例えば、ガス種Ａ，ガス種Ｂ，．．．）データと、ガス種毎の積算流量（リットル）データ及び積算流量に対するガス使用料金（円）データが含まれている。この積算流量データテーブルの中から、ステップＳ３１で判別された該当ガス種（例えば、ガス種Ａとする）に対応する積算流量ｘｘｘを読み出す。
【０１３４】
次いで、読み出された該当ガス種Ａの標準体積流量の積算データｘｘｘに、ステップＳ３１で計測した標準体積流量ｘｘを積算し、新たな積算データｘｘｘとする（ステップＳ３４）。
【０１３５】
次いで、ＲＯＭ４０Ｂに格納されているガス単価データテーブルを参照して当該ガス種Ａに応じた単価（円／リットル）を読み出す（ステップＳ３５）。図１０は、ＲＡＭ４０Ｃに格納されているガス単価データの一例であり、このデータテーブルには、ガス種（例えば、ガス種Ａ，ガス種Ｂ，．．．）データと、ガス種毎の単価（円／リットル）データが含まれている。このガス種単価データテーブルの中から、該当ガス種Ａに対応する単価ａａ（円／リットル）を読み出し、課金料算出部４６で、ステップＳ３４で積算された積算データｘｘｘに対して該当ガス種Ａの単価ａａを乗じ、課金データ、すなわちガス使用料金ｓｓｓを算出する（ステップＳ３６）。
【０１３６】
次いで、ステップＳ３４で算出された該当ガス種Ａの標準体積流量の積算データ及びステップＳ３６で算出された課金データを、ＲＡＭ４０Ｃに格納されている該当ガス種Ａの標準体積流量の積算データ及び課金データのエリアに書き換えて、保存する（ステップＳ３７）。次いで、計算された課金データ、すなわちガス使用料金を、判別されたガス種Ａ及び該当ガス種Ａの標準体積流量の積算データと共に表示部５１に表示して、ガス利用者が認識できるようにし、また通報部５３を介して外部、例えば管理センターへ通報してガス販売業者に連絡する（ステップＳ３８）。
【０１３７】
したがって、このようなガス流量計を利用することにより、適正なガス料金を煩雑な手続を必要とせずにガス販売業者及びガス利用者に連絡することができる。
【０１３８】
次に、図１２は、本発明のガス流量計で実行されるガス種異常判定処理を示すフローチャートである。
【０１３９】
まず、計測すべきガスの種類、例えばガス種Ａ、をＲＡＭ４０Ｃに入力し、記憶させる（ステップＳ４１）。このステップＳ５１は、ガス流量計の製造時とは限らず、該ガス流量計の設置時等において設置業者が指定し記憶させても良い。
【０１４０】
次いで、ガスの質量流量とガスの種類を計測する（ステップＳ４２）。このステップＳ４２は、上述の流量計測及びガス種判別方法におけるステップＳ１１〜Ｓ２５と同一の処理である。
【０１４１】
次いで、計測したガス種Ｘが、予め記憶していた計測すべきガス種Ａと一致しているか否かを判定部４７で判定する（ステップＳ４３）。両者が一致している（Ｘ＝Ａ）場合は、以下通常のガス流量計量（積算等を含む）の処理を行う（ステップＳ４４）。
【０１４２】
一方、計測したガス種Ｘが、予め記憶していた計測すべきガス種Ａと一致していない（Ｘ≠Ａ）場合には、ガス種異常と判断し（ステップＳ４５）、ガス種異常、を表示部５１に表示しかつ異常警報を警報音発生部５３から発生させて、ガス利用者に認識させると共に、通報部５３を介して外部、例えば管理センターへ通報してガス販売業者や保安責任者に連絡する（ステップＳ４６）。
【０１４３】
次いで、ガス種の異常を一定時間経過した後も連続して所定回数判断したか否かを判定し（ステップＳ４７）、その答がイエスならば、遮断弁５３を弁閉制御してガスを遮断すると共に、異常警報と異なる形態の遮断警報を警報音発生部５２から発生させる（ステップＳ４８）。また、その答がノーならば、ステップＳ４２に戻る。
【０１４４】
このようなガス流量計を利用することにより、適正なガスがガス利用者に提供されているか否かを容易に確認することができる。
【０１４５】
次に、図１３は、本発明のガス流量計で実行されるガス置換処理を示すフローチャートである。
【０１４６】
すなわち、未使用状態または保管状態のガス流量計を起動する手順について説明する。一般に、ガス流量計は、保管時や未使用時において、消費電力節約のため通常の動作より機能を落としている。そこで、本発明のガス流量計においても、遮断弁５３を閉じてガスが流れない状態にし、マイクロフローセンサ１の機能を停止して、流量計測及びガス種判別の機能を停止しておく。その他の付加的な機能、例えば表示部５１等についても停止しておく。
【０１４７】
起動の手順としては、まず、計測すべきガスの種類、例えばガス種Ａ、をＲＡＭ４０Ｃに入力し、記憶させる（ステップＳ５１）。このステップＳ５１は、ガス流量計の製造時とは限らず、該ガス流量計の設置時等において設置業者が指定し記憶させても良い。
【０１４８】
ガス流量計が設置場所に設置されていない場合は、設置し（ステップＳ５２）、次いでステップＳ５３の起動作業に進む。なお、既にガス流量計が設置場所に設置されていれば、ステップＳ５１から直接ステップＳ５３に進む。
【０１４９】
この起動作業の詳細は次の通りである。未使用状態や保管状態からガス流量計を起動する場合、まず、表示部５１等の付加機能を復帰させる（ステップＳ５３−１）。次に、マイクロフローセンサ１のガス種判別を定期的に、例えば１秒に１回実施する（ステップＳ５３−２）。この時、ガス種判別の初期状態の結果が空気であることを確認する。その後、遮断弁５３を弁開制御し、ガス流路を開放する（ステップＳ５３−３）。
【０１５０】
上述のガス流量計の起動作業により、遮断弁５３が開くと、続いて、ガス流量計におけるガス置換作業（ステップＳ５４）と、ガス流量計設置作業者による配管漏洩確認作業（ステップＳ５５）が同時並行的に行われる。
【０１５１】
ガス流量計におけるガス置換作業（ステップＳ５４）の詳細は次の通りである。すなわち、遮断弁５３が開くと、ガス流量計はまず、目的のガスへのガス置換の程度を判別する。ガス置換の程度は、ガス種判別部４４でガス種を判別し（ステップＳ５４−１）、判別した結果、ガス種判別出力値が、目的のガス（すなわち、ＲＡＭ４０Ｃに記憶されているガス種Ａ）に対応する値と空気に対応する値のどちらに近い値になっているかを判断することによりガス置換が終了したか否かを判定する（ステップＳ５４−２）。例えば、２０：１で目的のガスに対応する値に近ければ、十分ガス置換できたとみなしてガス置換終了と判定し、次のステップＳ５４−３に進む。一方、ガス置換終了でなければ、ステップＳ５４−１に戻り、ガス置換作業を継続する。
【０１５２】
次いで、ガス置換が十分された（すなわち、ガス置換終了）と判断した場合、ステップＳ５５への割り込みＡとして、ガス置換終了を示す情報を表示部５１に表示しかつ警報音発生部５２よりガス置換終了を認識させるための警報を発生し、作業者に認識せしめる。なお、ガス置換終了を示す情報を出力する手段としては、上述の表示部５１の表示及び警報音発生部５２の警報のほかに、通信、音声メッセージ、ＬＥＤの点灯か点滅、紙への印刷・プロットなどを使用または併用しても良い。
【０１５３】
その後、ガス流量計はガス流量を計測し始めるが、この時点ではまだ、流量の積算は実施しない。
【０１５４】
一方、ガス流量計設置作業者による配管漏洩確認作業（ステップＳ５５）においては、遮断弁５３が開くと、作業者はまず、ガス流量計より下流の配管における漏洩の有無の確認作業を行い（ステップＳ５５−１）、漏洩がないか否かを判断する（ステップＳ５５−２）。
【０１５５】
次いで、配管漏洩のチェック作業終了後、すなわち、作業者は、割り込みＣとして配管漏洩確認作業終了をガス流量計側に知らせる操作を行う。この操作は、例えば、ガス流量計に設けられている操作ボタン（図示しない）を押すことにより行われる。
【０１５６】
次いで、表示部５１の表示や警報音発生部５２よりの警報の有無割り込みＡの有無、を判断する（ステップＳ５５−３）。そして、割り込みＡがなかった場合、すなわち、ガス置換終了を示す情報が表示部５１に表示されずかつ警報音発生部５２よりガス置換終了を認識させるための警報が発生していなかった場合は、作業者は、ガスを下流へ流し続ける（ステップＳ５５−４）。一方、配管漏洩のチェック作業終了後、ガス流量計からの割り込みＡがあった場合、すなわち、ガス置換終了を示す情報が表示部５１に表示されかつ警報音発生部５２よりガス置換終了を認識させるための警報が発生した場合は、作業者は、ガス流量計におけるガス置換作業終了を認識して、ガス流量計の下流側の弁を閉じ、ガスが大気へ放出しないようにする（ステップＳ５５−５）。
【０１５７】
ガス流量計は、ステップＳ５４−２においてガス置換終了と判定した後、この割り込みＣがあったか否かを判定し（ステップＳ５４−３）、割り込みＣがあれば、この状態で、流量ゼロと判断する。そして、流量ゼロと判断した後、内蔵している遮断弁５３（または、図示しないがガス流量計よりやや上流に設置された遮断装置）を弁閉制御してガス流路を遮断する（ステップＳ５４−４）。
【０１５８】
次いで、ガス流量計は、再びガス種判別を行い（ステップＳ５４−５）、次いで再びガス置換終了か否かの判定を行なう（ステップＳ５４−６）。次いで、所定のサンプリング計測により、ステップＳ５４−６における答がイエス（すなわち、ガス置換終了という判定結果）と流量ゼロの計測結果が所定回数連続して得られたか否かを判定し（ステップＳ５４−７）、その答がイエスならば、流量ゼロと十分なガス置換を一定時間保持しているとみなして、遮断弁５３を弁開制御し、ガス流路の遮断を解除し（ステップＳ５４−８）、次いで、通常のガス流量計量を行う（ステップＳ５６）。
【０１５９】
一方、ステップＳ５４−７の答がノーならば、流量ゼロと十分なガス置換が一定時間保持されなかったとみなして、割り込みＢとして割り込みＡを解除し（すなわち、ガス置換終了を示す表示部５１の表示及び警報音発生部５２の警報を解除し）（ステップＳ５４−９）、次いで、遮断弁５３を弁開制御してガス遮断を解除し（ステップＳ５４−１０）、ステップＳ５４−１に戻り、ガス置換作業をやり直す。次いで、作業者は、割り込みＡの解除に基づき、ガス流量計の下流側で弁開を行い、ガス放出を開始する。
【０１６０】
以上のようなガス流量計におけるガス置換作業と、設置作業者による配管漏洩確認作業により、必要以上のガスの消費をせずにガス置換作業を十分に実施できる。
【０１６１】
次に、図１４は、図１のガス流量計を使用したガス供給システムの概略構成図である。図１４においては、たとえばマンションなどの集合住宅に設置されたガス供給システムについて説明する。
【０１６２】
マンションやアパートなどの集合住宅、一戸建住宅街の集中ガス供給システム等では、それぞれに必要なガスの配管が建物内や地下に張り巡らされている。また、化学プラント、半導体工場などの大型工場では、さらに複数のガス配管が張り巡らされている。そのような所で、定期点検や配管増設工事などで、いったんガスを抜き再度ガスを注入する際の作業は非常に手間がかかる。また、ガス漏洩確認作業は、確認する配管を閉塞状態し、長時間（長いときで１日）圧力降下がないかどうかを確認しなければならない。一方、個別のガス流量計でも、新築家庭や家主が変わったときなどに、漏洩検知とガス置換作業を作業員が行なう必要があり、作業に１〜２時間程度かかり、作業性の向上が望まれている。
【０１６３】
そこで、集合住宅等の大型設備におけるガス供給システムにおいて、下記に説明するように、本発明のガス流量計を使用することによって、ガス置換・漏洩検知の作業性の向上を図ることができる。
【０１６４】
図１４におけるガス供給システムにおいて、集合住宅１５０の適所に配置されたガス供給源１５１から、中間バルブとしての供給元バルブ１５４、建物（棟）別バルブ１５５，１６６及び階別バルブ１５６，１５７，１６７，１６８と、末端バルブとしての部屋別バルブ１５８〜１６５，１６９〜１７６等のいくつかのバルブを経て、供給ガスが各家庭に供給されている。
【０１６５】
ガス供給源１５１からのガスは、ガス供給配管１５２、供給元バルブ１５４、ガス供給配管１５３を介し、ガス供給配管１５３Ａ，１５３Ｂに分岐し、それぞれ、棟別バルブ１５５，１６６を介して１号棟及び２号棟の各階１−１Ｆ，１―２Ｆ及び２−１Ｆ，２−２Ｆに供給される。
【０１６６】
棟別バルブ１５５から分岐する一方のガス供給配管１５３Ａ１は、１階１−１Ｆにおいて、階別バルブ１５６を介して、さらにガス供給配管１５３Ａ１−１，１５３Ａ１−２，１５３Ａ１−３，１５３Ａ１−４に分岐し、それぞれ、部屋別バルブ１５８，１５９，１６０，１６１に接続される。
【０１６７】
同様に、階別バルブ１５５から分岐する他方のガス供給配管１５３Ａ２は、２階１−２Ｆにおいて、階別バルブ１５７を介して、さらにガス供給配管１５３Ａ２−１，１５３Ａ２−２，１５３Ａ２−３，１５３Ａ２−４に分岐し、それぞれ、部屋別バルブ１６２，１６３，１６４，１６５に接続される。
【０１６８】
一方、棟別バルブ１６６から分岐する一方のガス供給配管１５３Ｂ１は、１階２−１Ｆにおいて、階別バルブ１６７を介して、さらにガス供給配管１５３Ｂ１−１，１５３ＡＢ−２，１５３Ｂ１−３，１５３Ｂ１−４に分岐し、それぞれ、部屋別バルブ１６９，１７０，１７１，１７２に接続される。
【０１６９】
同様に、棟別バルブ１６６から分岐する他方のガス供給配管１５３Ｂ２は、２階２−２Ｆにおいて、階別バルブ１６８を介して、さらにガス供給配管１５３Ｂ２−１，１５３Ｂ２−２，１５３Ｂ２−３，１５３Ｂ２−４に分岐し、それぞれ、部屋別バルブ１７３，１７４，１７５，１７６に接続される。
【０１７０】
また、図１４においては、上述の構成に加えて、図１に示すガスの流量及び種類を検知可能なセンサを有するガス流量計１と同一構成を有するガス流量計１７７〜１９４，２００がガス供給配管の適所に設置されている。すなわち、ガス流量計１７７，１７８は、それぞれ、棟別バルブ１５５，１６６の上流のガス供給配管１５３Ａ，１５３Ｂ部分に設置され、ガス流量計１７９〜１９４は、それぞれ、部屋別バルブ１５８〜１６５及び１６９〜１７６の上流のガス供給配管１５３Ａ１−１〜１５３Ａ１−４，１５３Ａ２−１〜１５３Ａ２−４，１５３Ｂ１−１〜１５３Ｂ１−４，１５３Ｂ２−１〜１５３Ｂ２−４部分に設置されている。また、ガス流量計２００は、ガス供給配管１５２部分に設置されている。
【０１７１】
ガス流量計１７７〜１９４，２００は、各部屋別バルブから供給されるべき各種ガス（ＬＰガス、都市ガス等）の種類をＲＡＭ（図示しないが、図１のガス流量計のＲＡＭ４０Ｃと同等部分）に予め記憶している。また、ガス流量計１７７〜１９４，２００は、それぞれのガス流量計が配置されたガス供給配管中を流れるガスの流量および種類を計測することができる。
【０１７２】
さらに、ガス流量計１７７の下流側かつ棟別バルブ１５５の上流側には、開放バルブ１９５が設けられ、ガス流量計１７８の下流側かつ棟別バルブ１６６の上流側には、開放バルブ１９６が設けられている。
【０１７３】
次に上述の構成のガス供給装置におけるガス置換・漏洩検知について説明する。
【０１７４】
ガス置換作業は、まず、作業者により、全てのバルブが閉になっていることを確認され、次いで供給元バルブ１５４が全開にされる。次いで、開放バルブ１９５が全開とされ、ガス流量計１７７のガスの種類検知機能により、ガス供給配管１５２，１５３，１５３Ａにおいてガス供給源１５１から供給される目的のガスに置換されるまで待つ。
【０１７５】
ガス置換の程度は、ガス流量計１７７のガス種判別部（図示しないが、図１のガス流量計１のガス種判別部４４と同等の部分）でガス種で判別され、判別した結果、ガス種判別出力値が、目的のガス（すなわち、ＲＡＭに記憶されているガス種）に対応する値と空気に対応する値のどちらに近い値になっているかが判定される。例えば、ガス種判別出力値が、２０：１で目的のガスに対応する値に近ければ、十分ガス置換できたとみなしてガス置換終了と判定される。
【０１７６】
次いで、ガス流量計１７７において、ガス供給配管１５２，１５３，１５３Ａにおけるガス置換が十分行なわれた（すなわち、ガス置換終了）と判断された場合、ガス置換終了を示す情報が、ガス流量計１７７の表示部（図示しないが、図１のガス流量計１の表示部５１と同等の部分）に表示され、かつ警報音発生部（図示しないが、図１のガス流量計１の警報音発生部５２と同等の部分）よりガス置換終了を示す警報が発生し、作業者に知らされる。次いで、ガス流量計１によるガス置換終了の表示や警報音により、開放バルブ１９５が閉められる。
【０１７７】
次に、開放バルブ１９６が全開とされ、ガス流量計１７８のガスの種類検知機能により上述の手順と同様の手順で、ガス供給配管１５３Ｂにおいて目的のガス置換が実施され、ガス置換終了後、開放バルブ１９６が閉められる。
【０１７８】
次に、棟別バルブ１５５，１６６と、階別バルブ１５６，１５７，１６７，１６８が全開とされる。この時点で、ガス流量計１７７またはガス流量計１７８で計測されるガス流量がゼロか否かが、表示部の表示により確認され、ゼロでなければ、そのガス流量計の下流で漏洩有りと判断することができる。
【０１７９】
棟別バルブ１５５の下流で漏洩がある場合、階別バルブ１５６，１５７を閉じて、ガス流量計１７７の表示部の流量表示を確認すれば、階別バルブ１５６，１５７の上流における漏洩か、下流における漏洩かを判断することができる。そして、漏洩有りと判断された場合は、漏洩を止める処置が行なわれる。
【０１８０】
同様に、棟別バルブ１６６の下流で漏洩がある場合、階別バルブ１６７，１６８を閉じて、ガス流量計１７８の表示部の流量表示を確認すれば、階別バルブ１６７，１６８の上流における漏洩か、下流における漏洩かを判断することができる。そして、漏洩有りと判断された場合は、漏洩を止める処置が行なわれる。
【０１８１】
また、ガス供給源１５１からガス流量計１７７，１７８までのガス供給配管における漏洩は、ガス流量計２００の表示部の流量表示により判断することができ、漏洩有りと判断された場合は、漏洩を止める処置が行なわれる。
【０１８２】
一方、ガス流量計２００，１７７，１７８においてガスの流量がゼロであれば、これらのガス流量計の下流で漏洩なしと判断され、次に、部屋別バルブ１５８〜１６５，１６９〜１７６が全開とされ、ガス流量計１７９〜１９４のガスの種類検知機能により上述の手順と同様の手順で、ガス供給配管１５３Ａ１，１５３Ａ１−１，１５３Ａ１−２，１５３Ａ１−３，１５３Ａ１−４，１５３Ａ２，１５３Ａ２−１，１５３Ａ２−２，１５３Ａ２−３，１５３Ａ２−４，１５３Ｂ１，１５３Ｂ１−１，１５３ＡＢ−２，１５３Ｂ１−３，１５３Ｂ１−４，１５３Ｂ２，１５３Ｂ２−１，１５３Ｂ２−２，１５３Ｂ２−３，１５３Ｂ２−４において目的のガス置換が実施され、ガス置換終了後、部屋別バルブ１５８〜１６５，１６９〜１７６が閉じられる。
【０１８３】
このように、ガス供給システムにおけるガス供給配管におけるガス置換・漏洩検知は、各バルブを全開にしても安全かつ短時間に作業できる。また、目的のガスを無駄に大気放出することが少なく、確実なガス置換および漏洩検知ができる。
【０１８４】
以上の通り、本発明の実施の形態について説明したが、本発明はこれに限らず、種々の変形、応用が可能である。
【０１８５】
たとえば、上述の実施の形態では、ガスの質量流量を検知するセンサとしてフローセンサを用いているが、これに代えて、超音波式流量計やコリオリ式質量流量計を用いても良い。
【０１８６】
また、上述の実施の形態では、質量流量及び標準体積流量を算出して表示しているが、これらと同時にまたはこれらに代えて、熱量流量を算出して同時または切り換え表示する構成としても良い。
【０１８７】
図１５は、他の実施例として、本発明のガス流量計で実行される熱量流量算出処理を示すフローチャートである。まず、ガスの質量流量とガスの種類を計測する（ステップＳ６１）。このステップＳ６１は、上述の流量計測及びガス種判別処理におけるステップＳ１１〜Ｓ２５と同一の処理である。
【０１８８】
次いで、ＲＯＭ４０Ｂに予め格納されているガス種熱量流量データテーブルから、ステップＳ６１で判別されたガス種、例えばガス種Ａの単位質量当たりの熱量（キロカロリー／グラム）データを読み出す（ステップＳ６２）。
【０１８９】
図１６は、ＲＯＭ４０Ｂに格納されているガス種熱量流量データテーブルの一例であり、このデータテーブルには、ガス種（例えば、ガス種Ａ，ガス種Ｂ，．．．）データと、ガス種毎の単位質量当たりの熱量（キロカロリー／グラム）データが含まれている。
【０１９０】
次いで、流量換算部４５で、読み出された該当ガス種Ａの単位質量当たりの熱量ｍｍ（ｋｃａｌ／ｇ）に、計測した質量流量ｘｘ（ｇ／ｓｅｃ）を乗じて熱量流量ｓｓ（ｋｃａｌ／ｓｅｃ）を算出する（ステップＳ６３）。次いで、ＲＡＭ４０Ｃに格納されている該当ガス種の熱量流量の積算データｘｘｘ（ｋｃａｌ）を読み出す（ステップＳ６４）。
【０１９１】
図１７は、ＲＡＭ４０Ｃに格納されているガス種の熱量流量の積算データの一例であり、このデータテーブルには、ガス種毎（例えば、ガス種Ａ，ガス種Ｂ，．．．）の積算熱量流量（キロカロリー）データが含まれている。
【０１９２】
次いで、読み出された該当ガス種の熱量流量の積算データｘｘｘ（ｋｃａｌ）に、計測した熱量流量ｓｓ（ｋｃａｌ）を積算し、新たな積算データとする（ステップＳ６５）。
【０１９３】
次いで、積算後の新たな積算データをＲＡＭ４０Ｃの該当ガス種Ａの積算熱量流量データエリアに保存する（ステップＳ６６）。次いで、判別されたガス種Ａと熱量流量の積算データとを、表示部５１に表示してガス利用者が認識できるようにすると共に、通報部５３を介して外部、例えば管理センターへ通報してガス販売業者に連絡する（ステップＳ６７）。
【０１９４】
このようなガス流量計を利用することにより、ガス利用者が利用する熱量でガスの取引が可能になり、より適正なガス取引を行なうことができる。また、温度や気圧、ガスの種類による計測誤差を無くすことができ、容易に、安価に、小型に、ガス流量計を提供することができる。
【０１９５】
また、上述の実施の形態では、ガス種の異常判定処理を行なっているが、ガスの密度の異常を判定するように構成しても良い。この場合には、図１２のフローチャートにおいて、ステップＳ４１に代わるステップＳ４１′として、計測すべきガスの密度、例えばガス密度Ｄａ、をＲＡＭ４０Ｃに入力し、記憶させる。次いで、ステップＳ４２に代わるステップＳ４２′として、ガスの質量流量とガスの密度を計測する。このステップＳ４２′は、上述の流量計測及びガス種判別方法におけるステップＳ１１〜Ｓ２３と同一の処理である。
【０１９６】
次いで、ステップＳ４３に代わるステップＳ４３′として、計測したガスの密度Ｄｘが、予め記憶していた計測すべきガスの密度Ｄａと一致しているか否かを判定部４７で判定する。両者が一致している（Ｄｘ＝Ｄａ）場合は、以下通常のガス流量計量（積算等を含む）の処理を行う（ステップＳ４４）。
【０１９７】
一方、計測したガスの密度Ｄｘが、予め記憶していた計測すべきガスの密度Ｄａと一致していない（Ｄｘ≠Ｄａ）場合には、ステップＳ４５に代わるステップＳ４５′として、ガスの密度の異常と判断し、次いで、ステップＳ４６に代わるステップＳ４６′として、ガスの密度の異常、を表示部５１に表示しかつ異常警報を警報音発生部５３から発生させて、ガス利用者に認識させると共に、通報部５３を介して外部、例えば管理センターへ通報してガス販売業者や保安責任者に連絡する。
【０１９８】
次いで、ステップＳ４７に代わるステップＳ４７′として、ガスの密度の異常を一定時間経過した後も連続して所定回数判断したか否かを判定し、その答がイエスならば、遮断弁５３を弁閉制御してガスを遮断すると共に、異常警報と異なる形態の遮断警報を警報音発生部５２から発生させる（ステップＳ４８）。また、その答がノーならば、ステップＳ４２′に戻る。
【０１９９】
このようなガス流量計を利用することにより、ガス密度の判定に基づいて、適正なガスがガス利用者に提供されているか否かを容易に確認することができる。
【０２００】
【発明の効果】
請求項１記載の発明によれば、温度や気圧の変動に影響されないガス計量をできるだけでなく、予めガス種を把握していなくても、ガス流量計の設置場所の使用ガスを判別でき、ガス使用者や設置者がガス種を判別しなくても適正なガス料金を算出できる。
【０２０２】
請求項２記載の発明によれば、予めガス種を把握していなくても、ガス流量計の設置場所の使用ガスを判別でき、ガス使用者や設置者がガス種を判別しなくても適正なガス料金を算出できる。
【０２０３】
請求項２記載の発明によれば、適正なガス料金を、煩雑な手続を必要とせずにガス販売業者及びガス利用者に連絡することができる。
【０２０４】
請求項３記載の発明によれば、より正確なガス計量が可能になる。
【０２１８】
請求項４記載の発明によれば、フローセンサを用いて、ガス流量計を容易に、安価にかつ小型に提供することができる。
【図面の簡単な説明】
【図１】本発明によるガス流量計の実施の形態を示す構成ブロック図である。
【図２】本発明によるガス流量計が適用されるガス供給設備を示す図である。
【図３】図１のガス流量計で使用されるマイクロフローセンサの概略構成を説明する略図である。
【図４】図３のマイクロフローセンサの構成を示す平面図である。
【図５】図３のマイクロフローセンサの構成を示す断面図である。
【図６】図１のガス流量計で実行される流量計測及びガス種判別処理を示すフローチャートである。
【図７】第１温度検出信号および第２温度検出信号を示す図である。
【図８】右側温度検出信号および左側温度検出信号を示す図である。
【図９】図１のガス流量計で実行される課金料算出処理を示すフローチャートである。
【図１０】標準体積流量の積算流量データの一例を示す図である。
【図１１】ガス種単価データテーブルの一例を示す図である。
【図１２】図１のガス流量計で実行されるガス異常判定処理を示すフローチャートである。
【図１３】図１のガス流量計で実行されるガス置換処理を示すフローチャートである。
【図１４】図１のガス流量計を使用したガス供給システムの概略構成図である。
【図１５】他の実施例として図１のガス流量計で実行される熱量流量処理を示すフローチャートである。
【図１６】ガス種熱量流量データテーブルの一例を示す図である。
【図１７】ガス種の熱量流量の積算データの一例を示す図である。
【符号の説明】
１      ガス流量計
１４    マイクロフローセンサ（フローセンサ）
３３    減算部
３５    加算部
４０    マイコン
４０Ａ  ＣＰＵ
４０Ｂ  ＲＯＭ
４０Ｃ  ＲＡＭ（記憶手段）
４１    除算部
４２    流量算出部（流量算出手段）
４３    流体物性値算出部（流体物性値算出手段）
４４    ガス種判別部（ガス種判別手段）
４５    流量換算部（流量換算手段）
４６    課金料算出部（課金料算出手段）
４７    判定部（判定手段）
５１    表示部（表示手段）
５２    警報音発生部（警報手段）
５３    遮断弁（遮断手段）
５４    通報部（通報手段）
１０４  マイクロヒータ（ヒータ）
１０５  下流側サーモパイル（第２の温度センサ）
１０８  上流側サーモパイル（第１の温度センサ）
１１１  右側サーモパイル（第３の温度センサ）
１１３  左側サーモパイル（第３の温度センサ）
１５１  ガス供給源
１５２，１５３，１５３Ａ，１５３Ａ１，１５３Ａ１−１，１５３Ａ１−２，１５３Ａ１−３，１５３Ａ１−４，１５３Ａ２，１５３Ａ２−１，１５３Ａ２−２，１５３Ａ２−３，１５３Ａ２−４，１５３Ｂ，１５３Ｂ１，１５３Ｂ１−１，１５３Ｂ１−２，１５３Ｂ１−３，１５３Ｂ１−４，１５３Ｂ２，１５３Ｂ２−１，１５３Ｂ２−２，１５３Ｂ２−３，１５３Ｂ２−４  ガス供給配管
１５４  供給元バルブ
１５５〜１５７，１６６〜１６８  中間バルブ
１５８〜１６５，１６９〜１７６  末端バルブ
１７７〜１９４，２００  ガス流量計
１９５，１９６  開放バルブ
【図１】
0004261797.tif 000002
【図２】
0004261797.tif 000003
【図３】
0004261797.tif 000004
【図４】
0004261797.tif 000005
【図５】
0004261797.tif 000006
【図６】
0004261797.tif 000007
【図７】
0004261797.tif 000008
【図８】
0004261797.tif 000009
【図９】
0004261797.tif 000010
【図１０】
0004261797.tif 000011
【図１１】
0004261797.tif 000012
【図１２】
0004261797.tif 000013
【図１３】
0004261797.tif 000014
【図１４】
0004261797.tif 000015
【図１５】
0004261797.tif 000016
【図１６】
0004261797.tif 000017
【図１７】
0004261797.tif 000018